Podtech/llm-jp-corpus-v4-ja_patent huggingface dataset:
(57)【要約】【課題】  従来なじみのあるおはじきで教育学習・脳活性化などの老人福祉対策にも効果を発揮するおはじきゲームを考案することである。【解決手段】  おはじきに合戦の家紋・武将名・民話・童話・昔話などのキャラックターなどを表示し、さらに磁気を利用し、戦いやゲーム等にあった任意の図案や凹凸・磁気などを付加した盤を使う。【選択図】図２
0003127455.tif 000002
【実用新案登録請求の範囲】
【請求項１】
おはじきに合戦の家紋・武将名などを表示し、合戦ゲームをする玩具。
【請求項２】
おはじきに民話・童話・昔話などのキャラックターを表示し、ゲームをする玩具。
【請求項３】
おはじきに磁気を持たせその磁気を利用したゲームをする玩具。
【請求項４】
請求項１・請求項２・請求項３の盤をその戦いやゲーム等にあった任意の図案や凹凸・磁気などを付加したものにすること。
【請求項５】
請求項１・請求項２・請求項３・請求項４をゲームソフトやネットゲームにすること。
【考案の詳細な説明】
【技術分野】
【０００１】  本考案は、おはじきによるゲームとそれによる教育学習・老人福祉に関する。
【背景技術】
【０００２】  これまではおはじきは色ガラスなどの素材をはじいて遊ぶだけのものであった。【０００３】  特許公開平８−３２２９７９のようにゲームをするものもあるが、おはじき面にキャラクターや選手が表示されておらず、サッカーのポジションがわからず興味を減じている。【０００４】  また、登録実用新案第３０９２３６０のように立体部材を組み立てたものは表裏両面が同時に使えず安定性や部材の複雑さによる壊れやすさが懸念される。【０００５】  特願２００５−１４７２６０やこれまでの囲碁・オセロゲーム・将棋・サッカーなどのゲームでは双方同数の駒で成り立っており、ハンデをつけるために強いものが駒抜きで行なうことはあっても、弱いものが強い対戦相手より駒数が少なくてゲームの面白みを引き出すものはなかった。【０００６】  ゲーム盤に凹凸をつけたり背景を描写した物もあるが、駒の動きは一定であり坂を滑り落ちて相手を跳ね飛ばすようなゲーム構成にはなっていない。
【考案の開示】
【考案が解決しようとする課題】
【０００７】  従来なじみのあるおはじきで教育学習・脳活性化などの老人福祉対策にも効果を発揮するおはじきゲームを考案することである。【０００８】  また、おはじきをする人によって新たなルールが考え出せるようにする。
【課題を解決するための手段】
【０００９】  おはじきに合戦の家紋・武将名・民話・童話・昔話などのキャラックターなどを表示し、さらに磁気を利用し、戦いやゲーム等にあった任意の図案や凹凸・磁気などを付加した盤を使う。
【考案の効果】
【００１０】  考案したおはじきでのゲームにより教育学習・脳活性化などの老人福祉対策にも効果が発揮され、特に歴史学習には効果がある。
【考案を実施するための最良の形態】
【００１１】  おはじきに合戦の家紋・武将名・民話・童話・昔話などのキャラックターなどを表示し、さらに磁気を利用し、戦いやゲーム等にあった任意の図案や凹凸・磁気などを付加した盤を使ってゲームをする。
【実施例】
【００１２】  ２０個の織田信長と１００個の今川義元のおはじきに家紋・武将名などをそれぞれ表示した桶狭間の戦いゲームで、今川義元本陣めざし急坂を施した盤より２０個の織田信長のおはじきで戦ったところ歴史で知られるように織田信長側の大勝利となり、歴史認識や親子の対話に効果があった。
【産業上の利用可能性】
【００１３】  学校や公共施設・老人福祉施設などで活用することにより、歴史学習や脳活性化が計れ、しかもそれにともなう書籍販売・旅行・地域振興等の活発化により経済効果が期待できる。
【図面の簡単な説明】
【００１４】
【図１】  織田信長軍と今川義元軍のおはじきを示した概略図である。
【図２】  桶狭間の戦いをイメージした盤と双方のおはじきの配置を示した概略図である。
【符号の説明】
【００１５】      １  織田信長軍を表示したおはじき
２  今川義元軍を表示したおはじき
３  桶狭間の戦いをイメージした盤
４  盤上の森林の背景
５  盤上の河川の背景
６  盤上の坂
【図１】
0003127455.tif 000003
【図２】
0003127455.tif 000004
【手続補正書】
【提出日】平成18年5月29日(2006.5.29)
【手続補正１】
【補正対象書類名】実用新案登録請求の範囲
【補正対象項目名】全文
【補正方法】変更
【補正の内容】
【実用新案登録請求の範囲】
【請求項１】
合戦の家紋・武将名などを表示したおはじき。
【請求項２】
民話・童話・昔話などのキャラクターを表示したおはじき。
【請求項３】
請求項１〜２のいずれか１項に記載のおはじきに磁気を持たせたもの。
【請求項４】
請求項１〜３のいずれか１項に記載のおはじきでの対戦するために任意の図案や凹凸・磁気などを付加した盤。
【請求項５】
請求項１〜４のいずれか１項に記載のおはじきを使ったゲームソフトやネット対戦用ソフト。
【手続補正書】
【提出日】平成18年8月30日(2006.8.30)
【手続補正１】
【補正対象書類名】実用新案登録請求の範囲
【補正対象項目名】全文
【補正方法】変更
【補正の内容】
【実用新案登録請求の範囲】
【請求項１】
合戦の家紋・武将名などを表示した複数のおはじきを有するおはじきセット。
【請求項２】
民話・童話・昔話などのキャラクターを表示した複数のおはじきを有するおはじきセット。
【請求項３】
請求項１〜２のいずれか１項に記載のおはじきに磁気を持たせた複数のおはじきを有するおはじきセット。
【請求項４】
請求項１〜３のいずれか１項に記載のおはじきでの対戦するために任意の図案や凹凸・磁気などを付加したおはじきと盤とのセット。
【請求項５】
請求項１〜４のいずれか１項に記載のおはじきセットやおはじきと盤とのセットと書籍を組み合わせたもの。
(57)【要約】      （修正有）【課題】従来の納豆の包装材と異なる創造をした。本考案は、納豆上面を覆うプラスチックフィルム等への納豆の付着を防ぐと共に容器自体への付着を防ぎ、省資源、リサイクルに貢献する。又、剥ぎ取りにくいフィルムもなく、取り出しも容易にする。【解決手段】（１）オブラート等の可食の材料を使用し、（２）外部の容器の形状に合わせて成型した納豆の包装材である。【選択図】図１
0003127452.tif 000002
【実用新案登録請求の範囲】
【請求項１】
食品の納豆の容器詰めに関する包装法で、オブラート等の可食の薄膜を使用した箱状、筒、袋状等の成型品であり、これに納豆を包んで、容器に詰めるもの。
【請求項２】
この薄膜に醤油タレ等の味付けもできるもの。
【考案の詳細な説明】
【技術分野】
【０００１】この考案は、新規の、納豆の包装法である。
【背景技術】
【０００２】従来の物は、ほとんど、直に容器に詰められ、納豆上面にプラスチックフィルム等の包装が施されている。
【考案の開示】
【考案が解決しようとする課題】
【０００３】納豆上面を覆うプラスチックフィルム等への納豆の付着を防ぐと共に容器自体への付着を防ぎ、省資源、リサイクルに貢献する。又、剥ぎ取りにくいフィルムもなく、取り出しも容易にする。
【課題を解決するための手段】
【０００４】１．オブラート等のフィルム状の食用の薄膜である。
２．各納豆容器の形状に合わせ、外部容器や蓋に付着しないような形状に成型する。箱状、筒、袋状等。
図１．はその形状をあらわしている使用例
図２．は本考案の構造等それぞれの構成部をあらわしている
【考案の効果】
【０００５】以下、本考案の実施の形態について説明する。
（イ）納豆の容器の形状に合わせた構造、又は、納豆を入れやすく包みこめる形状
（ロ）オブラート等の食用可能な薄膜でできている。
【考案を実施するための最良の形態】
【０００６】このような材質、形状にすることにより、今までにない納豆の包装材となり、簡単に、手を汚さず納豆が取り出せる。
従来の考案品とまったく異なったものである。
【実施例】
【０００７】以下、添付図面に従って実施例を説明する。
納豆の外部容器の形状に合わせた箱状、筒、袋状等の形。
（Ａ）外部容器
（Ｂ）オブラート等の可食の薄膜で作った本考案の包装材【０００８】（Ａ）の形状に合わせ納豆を入れて包みこめる形状で、本考案の（Ｂ）部に納豆を入れて容器詰めをするものである。
納豆を容器から取り出す時は、この包装材ごと取り出せて共に食せるので外の容器に納豆が付着しなく、プラスチックフィルム等も不要で省資源となるし、容器もリサイクルしやすくなる。
【図面の簡単な説明】
【０００９】図１．はその形状をあらわしている使用例である。箱状、筒、袋状等。
図２．は本考案の構造等、それぞれの構成部をあらわしている。
【符号の説明】
【００１０】符号（Ａ），納豆を入れる外部容器をあらわす。
符号（Ｂ），本考案の成型品、箱状、筒、袋状。
【図１】
0003127452.tif 000003
【図２】
0003127452.tif 000004
【手続補正書】
【提出日】平成18年1月17日(2006.1.17)
【手続補正１】
【補正対象書類名】実用新案登録請求の範囲
【補正対象項目名】全文
【補正方法】変更
【補正の内容】
【実用新案登録請求の範囲】
【請求項１】
食品の納豆の容器に関する成型品である。オブラート等の可食の薄膜を使用した箱状、筒状、袋状等の形状を有する成型品。
【請求項２】
この薄膜には、納豆の味付けに使用する醤油タレ等の練りこみができる特徴を有する請求項１記載の形状を有する成型品。
【手続補正書】
【提出日】平成18年4月17日(2006.4.17)
【手続補正１】
【補正対象書類名】実用新案登録請求の範囲
【補正対象項目名】全文
【補正方法】変更
【補正の内容】
【実用新案登録請求の範囲】
【請求項１】
食品の納豆の容器に関する成型品であり、オブラート等の可食の薄膜を使用した箱状、筒状、袋状等の形状を有する成型品。
【請求項２】
この薄膜には、納豆の味付けに使用する醤油タレ等の練りこみができる特徴を有する請求項１記載の形状を有する成型品。
【手続補正書】
【提出日】平成18年6月27日(2006.6.27)
【手続補正１】
【補正対象書類名】実用新案登録請求の範囲
【補正対象項目名】全文
【補正方法】変更
【補正の内容】
【実用新案登録請求の範囲】
【請求項１】
食品の納豆の容器に関する成型品であり、オブラート等の可食の薄膜を使用した箱状、筒状、袋状等納豆を入れて包むことのできる形状を有する成型品。
【請求項２】
この薄膜は、納豆の味付けに使用する醤油タレ等調味味付けタレを練り混み、それを薄膜状に形成した請求項１記載の形状を有する成型品。
【手続補正書】
【提出日】平成18年8月25日(2006.8.25)
【手続補正１】
【補正対象書類名】実用新案登録請求の範囲
【補正対象項目名】全文
【補正方法】変更
【補正の内容】
【実用新案登録請求の範囲】
【請求項１】
食品の納豆の容器に関する成型品であり、オブラート等の可食の薄膜を使用した箱状、筒状、袋状で納豆を入れて包むことのできる形状を有する成型品。
【請求項２】
この薄膜は、納豆の味付けに使用する醤油タレの調味味付けタレを練り混み、それを薄膜状に形成した請求項１記載の形状を有する成型品。
(57)【要約】【課題】従来、ハエや蚊等の害虫は、殺虫剤、粘着テープ、通常のハエたたきなどで駆除していたが、殺虫剤などのスプレーでは食品上では噴霧できず、粘着テープを吊るすのも、人間にも引っ付いてしまう可能性があり、人気の多い場所では使用出来ず設置場所も限られる。現状のハエたたきでは、素早いハエ等を追いかけ捕らえるのは難しかった。【解決手段】通常のハエたたきを、網部分を取り付ける枠や取っ手などを透明にする。枠や取っ手などの太さは自由でよいが、ハエを捕まえようとする際に、風圧・空気の振動がハエに伝わらないような構造とする。【選択図】図１
0003127733.tif 000002
【実用新案登録請求の範囲】
【請求項１】
通常のハエたたきを透明な材質にする構造。
【考案の詳細な説明】
【技術分野】
【０００１】
この考案はハエ等の害虫を効果的に取る為のハエたたきに関するものである。
【背景技術】
【０００２】
従来、空中や身の回りを飛び回るハエや蚊等の害虫は、殺虫剤を噴霧、粘着テープを吊るす、通常のハエたたきや、粘着液シートつきのハエたたき（実用新案文献１参照）などで駆除していた。
【特許文献１】実用新案出願平１１−５６２３
【考案の開示】
【考案が解決しようとする課題】
【０００３】
しかしながら、上述の駆除方法では問題点が多い。殺虫剤などのスプレーでは食品上では噴霧できず、粘着テープを吊るすのも、害虫以外に人間にも引っ付いてしまう可能性があり、人の多いところでは使用出来ず設置場所も限られる。現状にあるハエたたきでは、素早いハエ等を追いかけ捕らえるのは容易ではない。
【０００４】
ある日、アブが体のまわりを飛び回るのを見て、止まった所をそばにあったペットボトルでアブを駆除しようとしたところ、アブは急ぎ逃げることも無く、容易にたたくことが出来た。ハエ等は複眼で動体視力が人の約10倍、紫外線・青・緑の３種類の視細胞を持っていると言われるが、目としての機能は劣っており、物体に至近距離まで近づかなければ見えず、像がはっきり結べないと聞く。ガラス窓に当たっているハエをよく見かけるが、これは視力が弱く像もはっきり見えない為に、色の付いていない透明な物を物体として認識出来ずに当たっていくのではないかと考えられる。ハエたたきは、通常網部分を取り付ける枠や取っ手などに色が着いており、ハエはその色を察知するかのように姿を消し、除去するのに苦労する。そこで、ペットボトルで難なく駆除できたことから、透明なものであればハエ等害虫の察知能力を弱体化させる事が出来るのではないかと考えた。
【０００５】
以上により、本考案はハエ等の害虫を効果的に取る為の、透明ハエたたきに関するものである。
【課題を解決するための手段】
【０００６】
作り自体は従来あるハエたたきと変わりないが、網部分を取り付ける枠や取っ手などを透明にする。枠や取っ手などの太さは自由でよいが、ハエを捕まえようとする際に、風圧・空気の振動がハエに伝わらないような構造とする。
【考案の効果】
【０００７】
色をつけず透明にすることで、ハエも察知能力が弱まり、今までよりかなり容易にハエ等の害虫を駆除することが出来る。
【考案を実施するための最良の形態】
【０００８】
以下本考案の形態を図に基づき、説明する。
【０００９】
図１は本考案透明ハエたたきの全体斜視図である。網部分を取り付ける枠１、取っ手２を透明にする。２の下の握り箇所に吊り金具などにかけられるよう穴３を開ける。
【図面の簡単な説明】
【００１０】
【図１】透明ハエたたき全体斜視図
【符号の説明】
【００１１】
１．枠
２．取っ手
３．引掛穴
【図１】
0003127733.tif 000003
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
光を透過させる材質からなる取っ手の上部に、同様の材質からなる網張り枠を設けたハエたたき器具。
【手続補正２】
【補正対象書類名】明細書
【補正対象項目名】０００２
【補正方法】変更
【補正の内容】
【０００２】
従来、空中や身の回りを飛び回るハエや蚊等の害虫は、殺虫剤を噴霧、粘着テープを吊るす、プラスチックで作られたハエたたきや、粘着液シートつきのハエたたき（特許文献１参照）などで駆除していた。
【特許文献１】実用新案出願平１１−５６２３
【手続補正３】
【補正対象書類名】明細書
【補正対象項目名】０００３
【補正方法】変更
【補正の内容】
【０００３】
しかしながら、上述の駆除方法では問題点が多い。殺虫剤などのスプレーでは食品上では噴霧できず、粘着テープを吊るすのも、害虫以外に人間にも引っ付いてしまう可能性があり、人の多いところでは使用出来ず設置場所も限られる。枠や網など全てをプラスチックで作られたハエたたきでは、ハエに風圧が伝わりやすく素早いハエ等を追いかけ捕らえるのは容易ではない。
【手続補正４】
【補正対象書類名】明細書
【補正対象項目名】０００６
【補正方法】変更
【補正の内容】
【０００６】
上記の課題を解決する為に本考案では、取っ手と網を張る枠を組合せ、それら全ての物を、光を通過させる透明な材質で製作し、透明なハエたたきとする。取っ手の手で握る箇所のみ色をつけ、下の端付近に吊り金具などにかけられるよう穴を開ける。枠や取っ手などの太さは自由でよいが、ハエを捕まえようとする際、風圧がハエに伝わらないよう出来るだけ細くする。
(57)【要約】      （修正有）【課題】ワンタッチで開いたり閉じたり出来る簡便な交換キャップの提供。【解決手段】歯磨チューブ取付部に取付け、外して洗う事も交換する事も出来る取付け型交換キャツプにした。【選択図】図１
0003127731.tif 000002
【実用新案登録請求の範囲】
【請求項１】
歯磨チューブスタンドで、キャップを交換して使用することを特徴とし、チューブ取付け部に交換キャップを取付けた、ラミネートチューブスタンド。
【請求項２】
キャップを交換して使用することを特徴とし、チューブ取付け部と一体となった交換キャップの付いた、請求項１に記載のラミネートチューブスタンド。
【考案の詳細な説明】
【技術分野】
【０００１】  ラミネートチューブスタンド
【背景技術】
【０００２】  ラミネートチューブスタンドと言う物は、過去出ていなかった様に思いますが、今年６月３０日に整理番号００３で実用新案登録を出願致しております。
【考案の開示】
【考案が解決しようとする課題】
【０００３】  前回歯磨チューブスタンドに交換キャツプを付けることを考え出願したのですが取付なくても使え、失くしてしまうことを考え、もう少し増しなものをと考えました。
【課題を解決する為の手段】
【０００４】  歯磨チューブ取付け部に取り付け、外して洗う事も交換することも簡単に出来る、図面上の取付け型交換キャップを考えました。
【考案の効果】
【０００５】  ワンタッチで開いたり閉じたり出来る簡便な交換キャップ。
【０００６】  取り外して洗うことも出来、交換して使うことも出来る。
【考案を実施する為の最良の形態】
【実施例】
【０００７】  歯磨チューブを出し過ぎた場合等、取り外して洗うことが出来ます。【０００８】  チューブスタンドの実施例は整理番号００３の出願事件と同じではぶきます。
【図面の簡単な説明】
【０００９】
【図１】  本考案の正面部分断面図
【図２】  同側面図
【符号の説明】
【００１０】  １、  スタンド
２、  チューブ取付け部
３、  交換キャップ
４、  歯磨チューブ
５、  歯ブラシ置き場
ａ、  取付けフック部
ｂ、  ロック部
【図１】
0003127731.tif 000003
【図２】
0003127731.tif 000004
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
ラミネートチューブのキャップを交換して使用することを特徴とし、チューブ取付け部に交換キャップを取付けた、ラミネートチューブスタンド。
(57)【要約】【課題】  従来の鼠捕り籠は、一匹の鼠を捕獲すると入り口が閉まり、再度、蓋を開けて設置しなければならなかった【解決手段】  鼠捕り籠の入り口の床を落し穴とし、鼠自身の体重で床が開くようにする。鼠が落ちると床は自動的に初期の状態に戻り、落ちた鼠が出てこられないが、続けて次の鼠が侵入することができる。【選択図】図１
0003127783.tif 000002
【実用新案登録請求の範囲】
【請求項１】
入り口の床が開閉式になった二重構造の鼠捕り籠。
【請求項２】
前記の開閉式床は鼠の体重を利用し開き、鼠が落下後は自動的に元の状態に戻るのを特徴とする請求項１の鼠捕り籠。
【請求項３】
前記の開閉式床の機能により、連続して複数の鼠を捕獲できる請求項１の鼠捕り籠。
【考案の詳細な説明】
【技術分野】
【０００１】この考案は鼠捕り籠の入り口開閉装置に関する。
【背景技術】
【０００２】従来の鼠捕り籠は、図２のように籠（１１）の中に餌（１２）を入れて置き、籠（１１）に入りこんだ鼠が餌（１２）を取るとフック（１３）が外れ、スプリング（１４）に引かれてシャッター（１５）が入り口（１６）を塞ぐという形式のものであった。
【考案の開示】
【考案が解決しようとする課題】
【０００３】従来の鼠捕り籠は、一匹の鼠を捕獲すると入り口が閉ざされ、再度、蓋を開けて設置しなければならなかった
【課題を解決しようとする手段】
【０００４】以上の課題を解決するために、第一考案は、鼠捕り籠の入り口の床を鼠自身の体重で開くようにする鼠捕り籠である。
第二発明は、入り口の床は自重で初期の状態に戻り、続けて次の鼠の侵入ができる鼠捕り籠である。
【考案の効果】
【０００５】第一考案によれば、餌に惹かれて入り口の落し穴に載った鼠は自重で籠の中に落ちる。
第二考案によれば、上向きに開かない構造の落し穴で、捕獲された鼠は外に出られない、また、初期状態に戻った鼠捕り籠に２匹目以降の鼠が侵入可能となる。
【考案を実施するための最良の形態】
【０００６】この考案の一実施形態を図１に示す。
鼠捕り籠の本体（１）は金網を組み合わせて製作する。
合板（２）に直径５ｃｍの穴を開け、進入口（３）とする。
金属棒（４）で直方体の籠を作り上面と側面に金網（５）を張り、内籠（６）とする。
金属棒（４）に金輪（５）を溶接し、軸棒（７）を通す。
一端に錘（８）を取り付けて折り曲げた金属板（９）を軸棒（７）に溶接する。
合板（２）に内籠（６）を取り付ける。
餌箱（１０）を本体（１）に置く。
【実地形態の効果】
【０００７】従来、一匹ずつしか鼠を捕獲できなかったが、一度に数匹の鼠の捕獲が可能になった。
【図面の簡単な説明】
【０００８】
【図１】この考案の一実施形態を示す斜視図である。
【図２】従来技術を示す斜視図である。
【符号の説明】
【０００９】（１）  鼠捕り籠本体    （２）合板    （３）進入口    （４）内籠の金属枠
（５）  金網    （６）  金輪    （７）軸棒    （８）  錘    （９）金属板
（１０）  餌箱    （１１）  鼠捕り籠本体    （１２）  餌    （１３）  フック
（１４）  スプリング    （１５）  シャッター    （１６）  入り口
【図１】
0003127783.tif 000003
【図２】
0003127783.tif 000004
(57)【要約】【課題】本考案は、ベルトコンベヤで連続的に搬送されるコンテナ容器の段積みを自動化し、効率的な段積み装置を提供する。【解決手段】本考案は、ベルトコンベヤに左右各２箇所の同期回転ローラーを用いることで連続的にコンテナ容器の段積みを行い、垂直に積み上げるためコンテナ容器内の製品をこぼすことなく積み上げることが可能となる。【選択図】図１
0003127785.tif 000002
【実用新案登録請求の範囲】
【請求項１】
搬送用コンベヤ左右各２箇所に均等配で周辺に凹凸を形成するローラー４個を設置し、コンテナ容器が定位置に供給されると前記ローラーが同期回転し、コンテナ容器のツバを前記ローラーの凸部にのせて持ち上げ、浮かせた状態で停止させ、その下の空間にコンテナ容器を供給し、再び凹凸のある前記ローラーが同期回転すると、凸部はコンテナ容器のツバから離れ、下に供給されたコンテナ容器と重なり２段目の段積みを完了させる、再び１番下のコンテナ容器のツバを前記ローラーの凸部にのせて持ち上げることを繰り返して垂直方向への積み重ねを可能としたことを特徴とする同期回転段積みローラー。
【考案の詳細な説明】
【技術分野】
【０００１】本考案は、コンテナ容器を段積みする積載装置に関する。
【背景技術】
【０００２】人力にてコンテナ容器を積み重ねていたため、労力ははかりしれないもので多くの人員が必要であった。
【考案の開示】
【考案が解決しようとする課題】
【０００３】コンテナ容器の段積み作業を人力ではなく機械的に行う自動省力化が求められ、かつ人力とほぼ同じスピードで積み重ねる装置が必要であった。
【課題を解決するための手段】
【０００４】本考案は、均等配で周辺に凹凸のあるローラー４箇所を同期回転させることでコンテナ容器のツバを持ち上げて停止し、その下に出来た空間にコンテナ容器がベルトコンベヤで供給され、再びローラーが回転し一番下の容器を持ち上げる、この繰り返しにより垂直に積み上げることが可能となり機械的に積み重ねる際の損失時間を最小限にとどめた装置を要旨とする。
【考案の効果】
【０００５】本考案は、ベルトコンベヤで連続的に搬送されてくるコンテナ容器を同期回転ローラーで段積みし、１０段まで重ねたところで次のベルトコンベヤに搬送する、流れを止めることなくスムーズな段積みが可能となった。
【実施例】
【０００６】図１、図２、図３、図４、図５、図６、図７、図８、図９で本考案の実施例を説明する。本考案の同期回転段積みローラーは、図２のように均等配で周辺に凹凸のあるローラーで周囲の凸上にリフティングローラー２が設けてあり、リフティングローラー２は自由に回転し、リフティングローラー２とコンテナ容器が水平になったとき一番接近するため容器を傷めないよう中心方向への弾力性を持っている。リフティングローラー２の取り付けピッチ径を大きくすれば高さのあるコンテナ容器にも対応でき、逆にリフティングローラー２の取り付けピッチ径を小さくすれば低いコンテナ容器にも対応することが可能となる。図３で示すようにベルトコンベヤ７の進行方向に対し左右各２箇所に同期回転ローラーが取り付けてある。サーボモーター９とウォーム減速機１０をカップリング１１で接続し、ウォーム減速機１０とシャフト６はカップリング１１にて接続されている。シャフト６は、軸受けユニット５で受けている。本考案の同期回転段積みローラーは、シャフト６に取り付けてある。矢印方向から搬送されるコンテナ容器を空圧制御による位置決めストッパー１２で定位置に停止させる。定位置に供給されたコンテナ容器は図１のような状態で停止している。このときベルトコンベヤ７は動作しているがコンテナ容器の後部に設置してある空圧制御の進入防止ストッパー１３が働いているためコンテナ容器同士は衝突しない。図５のように左右各２箇所のローラーは矢印の方向にサーボモーター９で同期回転を行い（イ）のローラーがコンテナ容器のツバ部を持ち上げる。図６に示すように（イ）のローラーがコンテナ容器のツバを持ち上げているため、コンテナ容器の底はベルトコンベヤ上面より浮いた状態で停止している。その下の空間に、次のコンテナ容器が供給される、その状態が図７となる。持ち上げたコンテナ容器の下に次のコンテナ容器が供給されると図８のように凹凸のあるローラーが矢印の方向に同期回転する。回転すると（イ）のローラーは、コンテナ容器のツバから離れコンテナ容器を支えなくなりコンテナ容器は下に供給されたコンテナ容器と重なる。リフティングローラー２がコンテナ容器のツバを離れる位置はコンテナ容器の形状が変わらない限り、同じ位置になるのでサーボモーター９を用いることにより正確な位置で凹凸のある同期回転ローラーを停止することができる。この繰り返しにより１０段まで積み重ねた状態が図９のようになる。また、ウォーム減速機１０を用いているため重荷重にも対応することができ、倒れ防止のガイドを垂直方向に取り付ければ、１０段以上の段積みが可能となる。
【図面の簡単な説明】
【０００７】
【図１】本考案の同期回転段積みローラーの正面図である。
【図２】本考案の同期回転段積みローラーである。
【図３】本考案の同期回転段積みローラーの平面図である。
【図４】本考案の同期回転段積みローラーの側面図である。
【図５】１段目のコンテナ容器が定位置に搬送されてきた正面図である。
【図６】１段目のコンテナ容器のツバを持ち上げた正面図である。
【図７】２段目のコンテナ容器が搬送されてきた正面図である。
【図８】コンテナ容器を２段積み上げた正面図である。
【図９】コンテナ容器を１０段積み上げた正面図である。
【符号の説明】
【０００８】１    コンテナ容器
２    リフティングローラー
３    カム固定トルクアーム
４    カム
５    軸受けユニット
６    シャフト
７    ベルトコンベヤ
８    連結ピン
９    サーボモーター
１０  ウォーム減速機
１１  カップリング
１２  位置決めストッパー
１３  進入防止ストッパー
【図１】
0003127785.tif 000003
【図２】
0003127785.tif 000004
【図３】
0003127785.tif 000005
【図４】
0003127785.tif 000006
【図５】
0003127785.tif 000007
【図６】
0003127785.tif 000008
【図７】
0003127785.tif 000009
【図８】
0003127785.tif 000010
【図９】
0003127785.tif 000011
(57)【要約】【課題】    農産物や果樹、花類の殺菌剤、殺虫剤、忌避剤として効果のある乳化したヒバ油の収納容器に関する。吊下げ式、床置き式のどちらにでも手軽に利用できる収納容器の出現が望まれていた。【解決手段】    上端に開閉チャック部があり、下端部周縁につば部が形成された透明または半透明の硬質ビニール材よりなる袋状本体であって、前記チャック部の上方に吊下げ用穴を、前記袋状本体の上方側面に適数個の蒸散用穴をそれぞれ穿設した本体内に、乳化したヒバ油を収納し吊下げ式や、床置き式で使用できるようにした。【選択図】図１
0003127784.tif 000002
【実用新案登録請求の範囲】
【請求項１】
上端に開閉チャック部があり、下端部周縁につば部が形成された透明または半透明の硬質ビニール材よりなる袋状本体であって、前記チャック部の上方に吊下げ用穴を、前記袋状本体の上方側面に適数個の蒸散用穴をそれぞれ穿設してなる、乳化したヒバ油の収納容器。
【考案の詳細な説明】
【技術分野】
【０００１】      この考案は、持ち運びが便利なうえ、使用時に吊下げにも据え置きにも容易に対応できる乳化したヒバ油の収納要器に関する。
【背景技術】
【０００２】      殺虫剤や忌避剤などの揮発性薬剤を使用するための容器として、内袋と外袋の二重構造とし使用時に外袋を外すようにしたものがある（特許文献１参照）【０００３】
【特許文献１】特願２００２−１４０５０１
【考案の開示】
【考案が解決しようとする課題】
【０００４】      このような容器では、構造が複雑であり、取り扱いに不便な上、吊下げ式だけにしか適応できなかった。
【課題を解決するための手段】
【０００５】      上端に開閉チャック部があり、下端部周縁につば部が形成された透明または半透明の硬質ビニール材よりなる袋状本体であって、前記チャック部の上方に吊下げ用穴を、前記袋状本体の上方側面に適数個の蒸散用穴をそれぞれ穿設してなる、乳化したヒバ油の収納容器。
【考案の効果】
【０００６】      薬液を収納する前の容器が嵩張らず非常にコンパクトであり、しかも収納した後も密封されているのでこぼれずに持ち運びが容易であり、また吊下げ方式だけでなく、床置き式としても倒れることなく便利に使用でき、収納した薬液の量や状況を確認しながら、適切な対応ができるものである。
【考案を実施するための最良の形態】
【０００７】      台湾ヒノキ、青森ヒバなどから得られるヒバ油は、抗菌作用、殺菌作用、殺虫、防虫作用等に優れ、植物病害防除剤としても効果的であることが知られている。さらにヒバ油に含まれるヒノキチオールは、最近天然性抗菌物質として注目されはじめてきている。
特に農作物例えばイチゴ、トマト、茶、アスパラ、なす、メロン、セロリなどのウドンコ病、灰色カビ病（菌）、炭素病、シロサビ病などに効果がある。
また、野菜の他、果樹、花類に寄生する温室粉ジラミ、スリップス、カメムシ、カイガラムシ、ダニ、アブラムシなど諸害虫には忌避剤として役立つ。【０００８】      ただ、ヒバ油はそのままでは粘度があって使いにくく、又コストが高くつく。そこで考案者らはヒバ油４０グラム：ニーム油１０グラム：高分子乳化剤２５グラムの割合（いずれも重量比）で混合したあと、これに水２５グラム（重量比）を加えて攪乱することにより安全に乳化できることを見出した。なお前記高分子乳化剤として種々の材料が使用できるが、安全性を考慮して食品の副産物を利用すると好都合である。【０００９】      このように乳化されたヒバ油は、使用時に数十倍から数百倍に希釈したうえで塗布、散布あるいは活発な蒸散作用により抗菌剤、殺菌剤、殺虫・防虫剤として使用できるようになり、乳化による高い希釈倍数が得られ安価に利用が可能になった。【００１０】      図面によって、この考案を詳しく説明する。図１は、本考案の１実施例を示す斜視図であり、図２は図１のＩＩ−ＩＩ線矢視図である。１は透明または半透明の硬質ビニールなどより成る袋状の本体である。２は、本体１の上部に形成された開閉チャック部で、密封できるように構成されている。３は、前記本体１の下端部周縁に形成された、つば部で、図２に示すように前記本体１内に乳化したヒバ油４を入れたときに袋体１の底がつば部３の脚底よりａだけ上になるように形成されている。５は前記開閉チャック部２より上に穿設された吊下げ穴、６は袋状の本体１の側面でヒバ油４の油面より上方に複数個穿設された蒸散穴である。【００１１】      このような構造の容器に乳化したヒバ油を開閉チャック部２を開放して注入し、封止する。そして畑地の温室やビニールハウス等の設置場所に移動する。そこで袋状本体１の上方側面にて奇数適数個の蒸散用穴６を穿設する。ついで吊下げ穴５を利用して吊下げて設置する。また、つば部３を利用して床置き設置してもよい。このように設置された容器は外からヒバ油４の状況が確認できるので、減ってしまったら補充し、変質したら取り替える等の処置を講じる。さらにこの容器を路地に設置した場合には風雨に晒されることとなるが蒸散穴６は袋状本体１の側面に設けられているので、雨露が袋状本体１の内部に侵入することは殆どない。
【実施例】
【００１２】    ハウス内で、１０アールのミニトマトに対して約４０本の本考案収納容器を床置き式で設置したところ、シーズン中温室粉ジラミの発生を皆無に近い効果が得られた。
また、花のスリップス、ウドンコ病などにも散布、床置き式で被害を軽減出来た。イチゴの苗時にクラウンに集中散布することで炭素病、ウドンコ病の発生を抑制できた。
【図面の簡単な説明】
【００１３】
【図１】本考案の１実施例を示す全体斜視図である
【図２】第１図のＩＩ−ＩＩ線矢視図である
【符号の説明】
【００１４】１  袋状本体
２  チャック部
３  つば部
４  ヒバ油
５  吊下げ穴
６  蒸散穴
【図１】
0003127784.tif 000003
【図２】
0003127784.tif 000004
(57)【要約】【課題】  シュレッダー装置において、用紙細断時に作業者が投入口に指をはさんだり、カッターに指を触れることなく安全に細断出来る安全機能スイッチ付シュレッダー装置を提供する。【解決手段】  用紙投入口の上部と下部にシート状スイッチを設け、指等による押圧を検出し、電源を遮断し起動を停止することを可能とし、安全確実に細断出来る事を可能とした。【選択図】図２
0003127764.tif 000002
【実用新案登録請求の範囲】
【請求項１】
用紙投入口に横幅広くスイッチを設け、一定以上の圧力が加わった時、停止機能を持つ安全機能スイッチ付シュレッダー。
【考案の詳細な説明】
【技術分野】
【０００１】  本考案は、シュレッダーの用紙投入口を改良し、用紙細断時の事故を未然に防止する安全機能スイッチ付シュレッダーである。
【背景技術】
【０００２】  細断される用紙は、シュレッダーの用紙投入口に手差し投入が一般的である。
【考案の開示】
【０００３】  なし
【考案が解決しようとする課題】
【０００４】  手差し投入される時、指等が引き込まれる事による事故を防止し、安全に細断用紙を投入し細断を可能としたシュレッダー装置。
【課題を解決するための手段】
【０００５】  上記目的を達成するために、シュレッダー装置の用紙投入口上部と下部にシート状スイッチを横幅広く配置した。
「選択図２」
【０００６】  細断用紙を手差し投入時、細断用紙を持ったままでいるとまれに指が引き込まれることがある。
【０００７】  上部用紙投入口に設置したシート状スイッチに一定以上の押圧する力が加わると電源を遮断しシュレッダー装置は停止する。
【０００８】  また、上部用紙投入口シート状スイッチ動作時、用紙投入口の開口部が広く大きいため、指等に異常な力が加わることなくシュレッダー装置が停止するのでケガを防止することが出来る。
【０００９】  また、下部用紙投入口シート状スイッチ動作時、指等に押圧が加わるが指に損傷をあたえるほどのダメージはなく、シュレッダー装置は停止する。
【００１０】  また、通常用紙細断時、シート状スイッチに細断用紙が接触しても一般的には面接触でありシート状スイッチを押圧し電源を遮断する程の力が加わることはない。
【考案の効果】
【００１１】  本考案によれば、細断紙投入時あやまって指を引き込まれた時、シート状スイッチを押圧し電源を遮断することにより、シュレッダー装置の起動は停止する。
【００１２】  また、あやまって投入口に指を入れた時においても、シート状スイッチを押圧し電源を遮断するのでシュレッダー装置は停止する。
【００１３】  シート状スイッチを設けたことにより、投入口での安全性が確立し作業者の安全面においても改善を可能とした。
【図面の簡単な説明】
【００１４】
【図１】  図１は本考案による安全機能スイッチ付シュレッダーの要約図である。Ａはシュレッダー本体、１は用紙投入口の上部に設けた上部シート状スイッチ。２は用紙投入口の下部に設けた下部シート状スイッチを示す。
【図２】  図２は本考案による安全機能スイッチ付シュレッダーの用紙投入口を示す。Ａはシュレッダー本体、Ｂはカッター、Ｃは細断用紙を指で持ち細断している状態を示す。１は上部シート状スイッチ、２は下部シート状スイッチを示す。
【符号の説明】
【００１５】  Ａ      シュレッダー本体
Ｂ      カッター
Ｃ      細断状態を示す
１      上部シート状スイッチ
２      下部シート状スイッチ
【図１】
0003127764.tif 000003
【図２】
0003127764.tif 000004
(57)【要約】【課題】  本考案は、リサイクル目的も考慮し、ペットボトルなどのネジ蓋式液体用容器のネジ蓋、液体用容器本体すべてを植栽用自動調節給水器具として利活用する方法を提供するものである。【解決手段】  本考案は、ネジ蓋式の液体用容器について、ネジ蓋をねじ込むがそれを止水状態とせず緩めた状態とし、容器とネジ内側に生ずる間隙に親水性を有し毛管水分移動できる給水層と必要とされる強度を有する基盤層の２層をもつ給水用テープを、ねじ山部を介し、挟み込む構成とし、給水対象の媒質にも接触することにより最適な水供給を実現する給水器具であり、負圧差灌漑法の原理を応用した給水量自動調整も可能な給水器具とすることができる。【選択図】図１
0003127767.tif 000002
【実用新案登録請求の範囲】
【請求項１】
給水源に接触し給水対象となる媒質に対しても接触するように配置される可撓性を有する薄いシート状の給水器具であり、給水源より毛細管水分移動により浸透給水を行う親水性を有する給水層と破断に対する強度を高めた基盤層を２層に組み合わせた重層構造をもつ給水器具。
【請求項２】
ねじ蓋式液体用容器を倒立させネジ蓋を緩めることにより通水断面を確保し、ネジ蓋内側に一定高さの水面を維持する給水源とし、そのネジ蓋内側と容器との間隙を通し、請求項１に記載の給水器具を配置することにより給水源と浸透給水部が一体化した給水器具。
【考案の詳細な説明】
【技術分野】
【０００１】  この考案は、給水源としてペットボトルなどネジ蓋式液体用容器と親水性を持つ布状のシートを組み合わせた毛管水分移動現象を応用した植栽に対する簡易型給水装置に関するものである。
【背景技術】
【０００２】  従来、ネジ蓋式液体用容器を利用した給水器具には、ネジ蓋自体までをそのまま活用しようとするものはなく、専用の有孔ノズルを利用したネジキャップ交換式、あるいは毛管水分移動性を持つ特殊なチューブを差し込んだだけの利用であった。
【考案の開示】
【考案が解決しようとする課題】
【０００３】  そのため、毛管作用による給水量の自動調節効果が十分活用できず、水源の水面高さの変化により給水量が変化し、過剰給水や過乾燥を起こしやすかった。
【課題を解決するための手段】
【０００４】  ネジ蓋式液体用容器に、水を充填しネジ蓋を緩めた状態で倒立させると、マリオット瓶の効果により、容器内部は負圧となり、容器外に水が流れ去ることなくネジ蓋内面の狭い間隙に一定の水面が形成される。これに親水性と毛管伝達性を持つ薄い素材を給水テープとして一部を接触浸漬し、水分が毛管連結し給水できるように土壌などの媒質に対して接触し配置する。
【考案の効果】
【０００５】  給水テープが薄くできることにより、容易にネジ蓋式の容器口に挟み込みができ、注水後倒立し一定水圧の水源をもつ給水器として利用できるようになる。さらに、給水テープ基盤層はネジ蓋の開け閉め操作時、ネジ蓋内側の回転による摩擦から親水層を保護し安定した給水性能を維持する。
【考案を実施するための最良の形態】
【０００６】  給水テープの毛管水分移動可能な親水性の層は、可撓性と親水性を有する不織布、織布、解放多孔質性スポンジ、高分子保水剤等により形成することができる。給水テープの基盤層は、プラスティックフィルム、高密度不織布など可撓性を持ち、ネジ蓋の締め付けに耐え親水層の破断を抑止できるだけの引張強度、摩擦強度をもつ材質により形成することができる。なお、この２層構造の給水テープは緩めたネジ蓋内側と容器本体の間隙に挟み込める厚さとすることを特徴とする。なお、親水性層と基盤層は、接着、溶着など既存の方法で２層構造に加工成形できる。この給水テープは給水源に一端を接触浸漬することにより接続し、他の部分を土壌などの媒質に親水性層を介して接触することにより、媒質が乾燥している場合は給水量が毛管張力により増加し、湿潤であると給水量は低下するきわめて自動的な給水の効果が得られる。また、ネジ蓋を回転しネジ蓋内の水面高さを調節することにより、負圧差灌漑法の効果としても知られる負圧調整による給水強度調整をすることができ、それによっても給水量を増減させることができる。
【実施例】
【０００７】  以下添付図面により一実施例を説明する。
１の給水テープは、１ａに示す親水性の不織布など適宜素材を表面側毛管水分移動層とし、１ｂに示す切断に対して適当な強度を持つ高密度不織布などの適宜素材を裏面側基盤層とした２層構造を持つ給水テープである。なお、基盤層も十分な強度を確保できる場合親水性を有していることが実用上有利となる。ペットボトルなど３に示すネジ蓋式液体用容器に水、液肥、薬剤液等を注入し給水テープ１を、表面側を内側に折り曲げ、液体容器口の内側から外側にまたがるように挟み込み、２のネジ蓋を止水しない程度緩くねじ込むと、３ａの外側ねじ山と、２ａの内側ねじ山の間に挟まることにより給水テープ１は容易に固定される。また、基盤層１ｂによりネジ蓋ねじ込み時のすべり摩擦などによる給水テープ１の破断が防がれる。【０００８】  給水テープ１とネジ蓋２とネジ蓋式液体用容器３の注水と組み立ての後、容器を倒立させるとネジ蓋２の内側にマリオット瓶の効果により４に示す一定高さの水位面が形成され、給水テープ１は５の給水用水に浸かった状態となる。給水テープ表面側１ａを７の土壌など給水対象となる媒質に接触させると毛管水分移動効果により給水が開始される。
それにより５の給水用水は減少し水位面４が低下し、６に示す外部から流入する給水用水の減少分を置換する気泡が容器内に６ａのように置換貯留され水位面４は一定に維持される。給水強度は、毛管張力作用により媒質の乾湿に対応した自動調節効果とともに、ネジ蓋２のねじ込み量を加減することにより、ネジ蓋内水位面４の高さを変更することによっても調整できる。この水位面４の高さ、すなわち、ネジ蓋内の水深を変化させることによる給水調節は、地中連続灌漑法の１例である負圧差灌漑法の原理を応用したものである。【０００９】  本考案の一実施例は上述のごとき構成からなるが、給水テープ１の片方端だけでなく、もう一方端を回りこませ、同様にネジ蓋２とネジ蓋式液体用容器３の間に挟み込むことにより、二枚の給水テープを使用した場合に近い給水性能の増大なども可能である。
【図面の簡単な説明】
【００１０】
【図１】本考案のネジ蓋式給水容器型自動給水器の斜視図である。
【図２】本考案の自動給水器の断面図である。
【符号の説明】
【００１１】１  給水テープ
２  ネジ蓋
３  ネジ蓋式液体用容器
４  水位面
５  給水用水
６  給水用水の減少分を置換する気泡
７  土壌など給水対象となる媒質
【図１】
0003127767.tif 000003
【図２】
0003127767.tif 000004
(57)【要約】【課題】  屋根に積った雪をかき降ろす際、雪に本考案器具を突き刺し、引っ張った時に雪をかき出す事のできる雪かき器具を提供する。【解決手段】  板と板をつけ合わせ（１）（２）、板に蝶番等（５）をつけ開閉可能な状態にし、片方の板に握り棒（３）をつけ、傘が開き過ぎないよう板にヒモ等を付ける（４）。この器具を雪に突き刺す時は傘が閉じており、器具を引っ張り出すと同時に傘が自然に開き、雪をかき出す事が出来る事を特徴とする。【選択図】図２
0003127766.tif 000002
【実用新案登録請求の範囲】
【請求項１】
板（１）及び（２）に蝶番等（５）を付け開閉自由になるようにし、板が開き過ぎないようにする為のヒモ等（４）を付け、板に握り棒（３）を取り付けた雪かき器具。
【考案の詳細な説明】
【考案の詳細な説明】
【産業上の利用分野】
【０００１】  この考案は、開閉自由の板を閉じた状態で屋根などに積った雪に差し込み、引き出すときは板の口が開き、雪をかき出す事ができる雪かきの器具に関するものである。
【背景技術】
【０００２】  従来は板部分が固定されていた為雪の表面だけを削り落として雪かきをしていた。
【考案が解決しようとする課題】
【０００３】  これには次のような欠点があった。
（イ）雪かきする板が固定されていた為、積もった雪の表面を削りとるだけだった。
（ロ）積った雪が固まっていた場合表面を削り落とすのも困難であった。
【課題を解決する為の手段】
【０００４】  板２枚（１）、（２）を組み合わせ開閉自在にする器具（５）を付け、板には握り棒（３）を取り付けることで板の部分を雪に突き刺した時は板が閉まった状態で雪に突き刺さり、引き出す時は自然と板が開き雪をかき出すことが出来る。
【考案実施の形態】
【０００５】以下、本考案の実施例について説明する。
（イ）板を２枚組み合わせる。
（ロ）板が開閉自由になるよう蝶番等を付ける。
（ハ）板が開きすぎないようヒモ等を付ける。
（ニ）板の片方に握り棒を付ける。
本考案は以上のような構造からなる雪かき器具である。
【考案の効果】
【０００６】これには次のような効果がある。
（イ）堅い雪に突き刺す事が出来る。
（ロ）雪に突き刺した本考案器具を引っ張り出す時は傘が自然と開くので雪をかき出す事ができる。
本考案は、これらの効果をもたらすものである。
【図面の簡単な説明】
【図１】本考案の板が閉じた状態の斜視図である。
【図２】本考案の板が開いた状態の斜視図である。
【図３】本考案の上面図である。
【符号の説明】
１  上の板
２  下の板
３  握り棒
４  傘の開き具合を調整するヒモ等
５  蝶番等
【図１】
0003127766.tif 000003
【図２】
0003127766.tif 000004
【図３】
0003127766.tif 000005
(57)【要約】【課題】ゴルフポケットに容易に安全にマーカーとゴルフボールなどを保持できて、マーカーあるいはボールを取り出しやすく入れやすいゴルフポケットを備えたゴルフ用パンツを得る。【解決手段】パンツ本体１の両側に一対のサイドポケット１ａを有するゴルフ用パンツにおいて、サイドポケット１ａのどちらか一方若しくは両方の下部に、ゴルフボールやマーカーなどを収納するゴルフポケットを設ける。【選択図】図１
0003127761.tif 000002
【実用新案登録請求の範囲】
【請求項１】
パンツ本体にある一対のサイドポケットを有するゴルフ用パンツにおいて、上記サイドポケットのどちらか一方若しくは両方の下部に、ゴルフボールやマーカーなどを収納するゴルフポケットを設けたことを特徴とするゴルフ用パンツ。
【考案の詳細な説明】
【技術分野】
【０００１】本考案は、ゴルフのプレー中にマーカーやボールなどを収納して、入れ易くまた取り出し易くしたゴルフ用パンツに関する。
【背景技術】
【０００２】従来のマーカー保持には、帽子のつばなどに取り付け金具を挟着したものや、クラブのグリップに取り付けたものがある。また、ゴルフボールなどはゴルフ用パンツのサイドポケットに入れていた。
【考案の開示】
【考案が解決しようとする課題】
【０００３】上記のような従来のマーカー保持は、身体の外部に装着している為、紛失することがあったり、邪魔にもなると言う問題点もあった。又、雨天の時などにはパンツの両サイドにあるポケットにボールなどを入れてあるので、大変取り出し難いと言う問題点があった。
【問題を解決する為の手段】
【０００４】この考案のパンツ本体にある一対のサイドポケットを有するゴルフ用パンツにおいて、上記サイドポケットのどちらか一方若しくは両方の下部に、ゴルフボールやマーカーなどを収納するゴルフポケットを設けたものである。
【考案の効果】
【０００５】この考案のゴルフ用パンツは、ゴルフポケットを有し、ゴルフポケットの中にボール１個または２個とマーカーが入る大きさに造ってある。しかも、両側のサイドポケットの下部に取り付けてあるため、プレーに差し障り無く、邪魔にもならず、しかも手を自然に下ろした位置にあるため、自然な形でマーカーやボールを出し入れできてプレーに集中できる。
【考案を実施する為の最良の形態】
【０００６】
【実施例】
【０００７】図１は本考案の実施の形態である、ゴルフ用パンツの一部にゴルフポケットを取り付けた側面図である。図に於いて、１はパンツ本体であり、両サイドに一対のサイドポケト１ａと、後ろポケット１ｂを有している。２はマーカーやゴルフボールなどを入れるゴルフポケットであり、サイドポケット１ａの下部で、手を自然に下ろした位置に設けられている。３はゴルフポケットを開閉するファスナーである。ポケット２の大きさの例としては横幅約１２ｃｍ縦幅約６ｃｍであり、ゴルフボールやマーカーを指で容易に摘まみ出せる幅と深さに形成されている。ゴルフポケットの中ほどには幅約２ｃｍほどのタック２ａも形成してある。【０００８】次に、上述の様に形成された、ゴルフ用パンツの使い方を図２に基づき説明する。
まず、ゴルフポケット２のファスナー３を開き、ボール５を取り出してプレーを始める。そして、ボール５がグリーンに乗った時、マーカー６を取り出し、グリーン上にあるボール５にマークして、ボール５を取り上げゴルフポケット２に収納する。パッティングの順番がくると、再びゴルフポケット２からボール５を取り出しマーカー６の前にボール５を置き、マーカー６を取り上げゴルフポケット２に収納する。このとき、ゴルフポケット２は両手を自然に下げた状態で指がボールやマーカーを出し入れしやすい位置にゴルフポケット２があるので、プレーに支障が無くスムーズな行動ができる。
【図面の簡単な説明】
【０００９】
【図１】この考案の一実施の形態を示すゴルフ用パンツの側面図である。
【図２】この考案のゴルフ用パンツのゴルフポケットの使用方法を示す斜視図である。
【符号の説明】
１      ゴルフ用パンツ本体
１ａ    サイドポケット
２      ゴルフポケット
２ａ    タック
３      ファスナー
【図１】
0003127761.tif 000003
【図２】
0003127761.tif 000004